(57)【特許請求の範囲】
【請求項１】
多数の蓄熱カプセルを収容自在な袋状の防水容器と、その防水容器を載置するための底板部材とを設け、前記底板部材の端部に、側壁部材の下端部を接続連結自在にし、前記側壁部材の上端部に亘る蓋となる状態に上蓋部材を配置して、前記底板部材、前記側壁部材、及び前記上蓋部材で成る保形性を有した箱体に前記防水容器を収容自在に構成してある蓄熱槽。
【請求項２】
前記防水容器には、結露水を排水させるためのドレンコックが装備されている請求項１に記載の蓄熱槽。
【請求項３】
前記防水容器の一端に熱交換用の送風を取込むための送風入口を、他端に送風出口を夫々形成するとともに、前記送風入口に対応した入口開口と、前記送風出口に対応した出口開口とを前記側壁部材に形成してある請求項１又は２に記載の蓄熱槽。
【請求項４】
前記防水容器は、前記送風入口と前記送風出口とを除いては気密状に保たれるように構成されている請求項３に記載の蓄熱槽。
【請求項５】
前記底板部材を遮水自在に下方から覆う受けカバーを設けてある請求項１〜４のいずれか１項に記載の蓄熱槽。
【請求項６】
多数の蓄熱カプセルを収容自在な袋状の防水容器を底板部材に載置し、この底板部材が敷設された後において該底板部材の端部に側壁部材の下端縁を接続連結し、その側壁部材が配設された後において該側壁部材の上端部に亘る状態で上蓋部材を配置して保形性を有した箱体に組立てる蓄熱槽の組立方法。
【発明の詳細な説明】
【０００１】
【発明の属する技術分野】
本発明は、蓄熱槽及びその組立方法に係り、詳しくは、床下等の狭い空間であっても、できるだけ容量の大きい蓄熱槽を配置することができて、効率の良い蓄熱システムの構築に寄与可能となる技術に関するものである。
【０００２】
【従来の技術】
多数の蓄熱カプセルを収容する蓄熱槽は、特開２０００−１８８６４号公報に示されたものが知られている。これは、熱交換用の送風入口と、その反対側に設けられる送風出口とに向けて断面積が絞られる形状であり、内部に横長形状の蓄熱カプセルを多数配列して収容する上下高さの低いものであった。蓄熱槽の高さが低いのは、蓄熱カプセルの高さが低いからであり、その蓄熱カプセルは、合成樹脂製で正面視形状が横長の矩形のものに構成されていた。
【０００３】
【発明が解決しようとする課題】
例えば、一般住宅等においては、蓄熱槽は床下に配備されることが多く、その高さに余裕の少ない床下において配設工事ができるよう、蓄熱槽の高さはある程度低いものにせざるを得なかったのである。床上に置く場合でも、押入れや天井裏等の狭い箇所に置くことになるので、同様の問題が生じる。しかしながら、エアコン台数の増加、住宅の大規模化等により、蓄熱システムにおける蓄熱量をより大きくすることが望まれており、蓄熱槽の大型化が急務となってきた。
【０００４】
蓄熱量を増やすには、平面視での面積を増やす手段と、側面視での面積を増やす手段とがあるが、一般住宅の床下は、多くの場合基礎によって細かく仕切られた細切れ状態になっているため、平面視面積を大型化し難い状況にある。これは、大きさが決まっている押入れや天井裏等でも同様である。従って、蓄熱槽の上下高さを、床下や天井裏の全高さに亘るまで大きくして容量アップさせることが現実的であるように思えるが、そのためには狭い上下空間にて蓄熱槽を構築させる必要がある。
【０００５】
本発明の目的は、蓄熱システムの容量増大を図るべく、床下、押入れ、天井裏等の上下高さに余裕の少ない箇所において、目一杯の高さでもって蓄熱槽を構築して配備するに適した蓄熱槽の構造、並びにその組立方法を提供するものである。
【０００６】
【課題を解決するための手段】
請求項１の構成は、図８に例示する如く、蓄熱槽１４において、多数の蓄熱カプセルＣを収容自在な袋状の防水容器２９と、その防水容器２９を載置するための底板部材３０とを設け、底板部材３０の端部に、側壁部材３１〜３３の下端部を接続連結自在にし、側壁部材３１〜３３の上端部に亘る蓋となる状態に上蓋部材３４を配置して、底板部材３０、側壁部材３１〜３３、及び上蓋部材３４で成る保形性を有した箱体に防水容器２９を収容自在に構成してあることを特徴とする。
【０００７】
請求項１の構成によれば、蓄熱槽は互いに別部材である底板部材、側壁部材、上蓋部材で成る箱体に構成されているから、床下等の設置対象場所にて、先ず底板部材を敷設し、次いで敷設された底板部材上に防水容器を載置し、その載置された防水容器に多数の蓄熱カプセルを内装する。それから、底板部材の端部に側壁部材を立設し、最後に側壁部材の上端部に亘って上蓋部材を配置することで蓄熱槽を構成することができる。
【０００８】
例えば、床下の高さと同じ程度の高さを有した蓄熱槽を予め組立ておいて、あとから床下に設置するという手段では、床に形成された一般的な大きさの開口から入れることができないとか、入れるためには家屋としての形態を損なうほど大きな開口を床に形成しなければならないといった具合に、現実には設置不可となるものである。これに対して、本請求項の構成では、設置対象そのものの場所にて組立可能となるので、底板部材や側壁部材等の単品部品、及び形状変化が自在な袋状の防水容器等を、点検口等の床の小さな開口から入れることが可能となり、リフォーム等の築後であっても、床下等にその高さ一杯の蓄熱槽を設置させることができる等、高さを増すことで容量アップを図る蓄熱槽が実現できるようになる。
【０００９】
請求項２の構成は、図８、図９に例示する如く、請求項１の構成において、防水容器２９には、結露水を排水させるためのドレンコック３５が装備されていることを特徴とするものである。
【００１０】
請求項２の構成によれば、結露水を排水させるドレンコックを防水容器に設けたので、熱交換時等に防水容器内部で結露することがあると、ドレンコックを用いて結露水を防水容器外に取り出して除去することができる。故に、冷熱の蓄熱時に蓄熱カプセル表面にて結露水が氷結して熱効率を低下させるとか、それによって熱交換用としての送風の通りを阻害すること、或いは、温熱の蓄熱時に結露水が熱吸収することで熱効率を低下させる等の結露水が存在することに起因した不都合を回避できるようになる。
【００１１】
請求項３の構成は、図８に例示する如く、請求項１又は２の構成において、防水容器２９の一端に熱交換用の送風を取込むための送風入口３１Ａを、他端に送風出口３２Ａを夫々形成するとともに、送風入口３１Ａに対応した入口開口２９Ａと、送風出口３２Ａに対応した出口開口２９Ｂとを側壁部材３１，３２に形成してあることを特徴とする。
【００１２】
請求項３の構成によれば、防水容器に形成された送風入口及び送風出口と、側壁部材に形成された入口開口及び出口開口とにより、蓄熱槽外部と防水容器内部とに亘って送風することができ、良好に熱交換させることができる。防水容器の送風入口と側壁部材の入口開口、及び送風出口と出口開口は互いに対応した位置にあるから、離れた箇所に設ける場合に比べて、連結ダクト等が不要又は短くて済み、かつ、送風経路長さを短くすることができる。
【００１３】
請求項４の構成は、図８、図１３に例示する如く、請求項３の構成において、防水容器２９は、送風入口３１Ａと送風出口３２Ａとを除いては気密状に保たれるように構成されていることを特徴とする。
【００１４】
請求項４の構成によれば、防水容器は、送風入口と送風出口とを除いては気密状に保たれているので、蓄熱された熱が自然に、或いは送風によって強制的に外部に逃げることが防止でき、所期された熱効率を発揮できるようになる。
【００１５】
請求項５の構成は、図８、図９に例示する如く、請求項１〜４の構成において、底板部材３０を遮水自在に下方から覆う受けカバー４１を設けてあることを特徴とする。
【００１６】
請求項５の構成によれば、底板部材を遮水自在に下方から覆う受けカバーを設けたので、例えば、床下等の湿気の多い所に設置しても、地面からの湿気によって底板部材や側壁部材下端部が錆び易いとか腐食し易いということから蓄熱槽を保護できるようになる。つまり、受けカバーの存在により、設置場所の制約が減少して底板部材の設置自由度が広がるようになる。
【００１７】
請求項６の方法は、図８に例示する如く、蓄熱槽の組立方法において、多数の蓄熱カプセルＣを収容自在な袋状の防水容器２９を底板部材３０に載置し、この底板部材３０が敷設された後において該底板部材３０の端部に側壁部材３１〜３３の下端縁を接続連結し、その側壁部材３１〜３３が配設された後において該側壁部材３１〜３３の上端部に亘る状態で上蓋部材３４を配置して保形性を有した箱体に組立てることを特徴とする。
【００１８】
請求項６の方法は、請求項１の構成方法化したものであり、請求項１の構成による前記作用と同等の作用を得ることができる。
【００１９】
尚、上述のように、図面との対照を便利にするために符号を記したが、該記入により本発明は添付図面の構成や方法に限定されるものではない。
【００２０】
【発明の実施の形態】
以下、本発明の実施の形態を図面に基づいて説明する。
図１に蓄熱空調システムの概略図が、図２に蓄熱槽部分が夫々示されている。この蓄熱空調システムＡは、エアコン（空調装置）１６を用いた個人住宅用のものであり、エアコン１６及び蓄熱槽１４が１階の床下に配置されている。即ち、蓄熱槽１４の一端がエアコン１６の吹き出し側に、他端及び室内からの戻りダクト１７とがエアコン１６の吸い込み側に夫々連結し、１階及び２階の各天井裏に装備された複数の空調ファン１８と蓄熱槽１４の出口側とを連通するための主ダクト１９を、床下２３から立ち上がる縦型のものとして設けてある。
【００２１】
図１，図２に示すように、エアコン１６の送風は接続ダクト２５を介して全て蓄熱槽１４に供給されるようにしてあり、蓄熱槽１４の出口側ダクト２０、室内からの戻り風を取り込む所であるエアリターン口２２に連通する戻りダクト１７、及び各空調ファン１８に連通する主ダクト１９を結ぶとともに、エアコン１６の吸込み側ダクトとなる連結ダクト２１を設けてある。連結ダクト２１内には、軸心Ｐ周りに回動して戻りダクト１７を開閉自在で、連結ダクト２１の遮断及び解放も可能な開閉弁２４を設けてある。そして、運転モードとしては、蓄熱空調モード、放熱モード、蓄熱モードとがある。
【００２２】
蓄熱空調モードは、図７（イ）に示すように、連結ダクト２１が遮断され、かつ、戻りダクト１７が開かれる位置に開閉弁２４を回動操作し、エアコン１６を空調作動させ、いずれかの空調ファン１８を回転作動させる運転モードであり、エアコン１６から出る冷風（又は温風）によって蓄熱槽１４の蓄熱と、冷風（又は温風）による室内空調との双方が行えるとか、エアコン１６と蓄熱槽１４の放熱との双方によって室内空調が行えるといった状態が得られる。
【００２３】
例えば、蓄熱槽１４の温度が希望冷房温度よりも低いときには、エアコン１６と蓄熱槽１４との双方によって室内を素早く冷房でき、蓄熱槽１４の温度が希望冷房温度以上であるときには、エアコン１６の冷風によって蓄熱槽１４の冷熱蓄熱と室内の冷房との双方が行われるようになる。
【００２４】
放熱モードは、図７（ロ）に示すように、連結ダクト２１及び戻りダクト１７が共に開かれる位置に開閉弁２４を回動操作し、エアコン１６を送風作動（単なる送風ファンとして用いる空作動）させ、いずれかの空調ファン１８を回転作動させる運転モードであり、エアコン１６から出る常温風によって蓄熱槽１４で熱交換させて、蓄熱槽１４に貯められた熱エネルギーのみによって空調されたエアを室内に供給する状態が得られる。
【００２５】
例えば、蓄熱槽１４の温度が希望冷房温度よりも十分に低いときに、蓄熱槽１４に貯められた熱エネルギーのみによって希望冷房温度まで室内冷房させるとか、蓄熱槽１４の温度が希望冷房温度より高いときには、取り敢えず蓄熱槽１４の温度までは蓄熱槽１４に貯められた熱エネルギーのみによって室内冷房させるといった状態が得られる。この運転モードでは、エアコン１６のコンプレッサー又はコンデンサが作動しない（即ちエアコン１６が空調作動しない）分、蓄熱空調モードに比べて電力が少なくて済み、廉価に空調を行うことができる。
【００２６】
尚、戻りダクト１７と主ダクト１９とが連結ダクト２１部位では互いに離れているとともに、戻りダクト１７の風下方向の近傍にエアコン１６が位置し、かつ、出口側ダクト２０の風下方向近傍に主ダクト１９の吸込み口が位置する構造上、連結ダクト２１部位において給排風が混ざることが実質的に生じないので、開閉弁２４を前述の位置（戻りダクト１７内面に沿う位置）にすることが可能であるが、連結ダクト２１を遮断する位置［図７（イ）に示された位置] に開閉弁２４を回動操作しても良い。
【００２７】
蓄熱モードは、図７（ハ）に示すように、戻りダクト１７を閉じ、かつ、連結ダクト２１は解放する位置に開閉弁２４を回動操作し、エアコン１６を空調作動させ、全ての空調ファン１８を停止させる運転モードであり、エアコン１６と蓄熱槽１４とによる閉鎖ループ状態で運転させるものである。この場合、すべての空調ファン１８が停止していて主ダクト１９は負圧にも正圧にもならないので、主ダクト１９には風が流れないのである。
【００２８】
この運転モードは、電力料金が安くなる深夜等において用いるモードであり、例えば、エアコン１６を冷房運転して夏場の夜中に蓄熱槽１４に冷熱を蓄えさせたり、エアコン１６を暖房運転して冬場の日中に蓄熱槽１４に温熱を蓄えたりする。そして、蓄熱槽１４に蓄えた冷熱により、夏場の日中に放熱モードで室内冷房するとか、蓄熱槽１４に蓄えた温熱により、冬場の夜に放熱モードで室内暖房を行うことにより、電気代を節約しながら良好な空調が行えるのである。
【００２９】
そして、図示しないが、開閉弁２４を図７（ロ）に示された位置に回動操作し、エアコン１６を停止し、空調ファン１８を回転作動させる送風モードも可能であり、これによれば単に室内に循環送風するだけの状態が得られる。次に、蓄熱槽１４に多数装備される蓄熱カプセルＣについて説明する。
【００３０】
図４、図５に示すように、蓄熱カプセルＣは、対向配置される第１壁部１と第２壁部２と、これら両壁部１，２の間に形成される蓄熱材充填用の内部空間３と、両壁部１，２の外周縁どうしが気密状に互いに相対連結された状態の外周シール部５とを備えて構成されている。両壁部１，２の正面視形状は、上下高さが左右長さよりも長い縦長の矩形形状に設定され、内部空間３が上下３箇所の部分空間４に分割されるように、両壁部１，２どうしがそれらの上下中間部において気密状に連結された中間シール部６を２箇所に形成してある。つまり、蓄熱カプセルＣは、部分空間４を備えた部分カプセル８の３組が上下に連結一体化されたような構造を採るものである。
【００３１】
第１及び第２壁部１，２の夫々は、内部空間３を形成するべく外側に膨出した凸面部７が３箇所形成された平板状の合成樹脂材によって構成されており、凸面部７以外の部分が外周シール部５及び中間シール部６である。蓄熱カプセルＣは、両壁部１，２を、夫々の外周シール部５及び中間シール部６どうしの融着による一体化によって構成されている。部分カプセル８として見た場合、その上部の両端部に形成された一対の丸孔９と、上１カ所、下２カ所の計３カ所に形成された溝孔１０の夫々において、第１壁部１と第２壁２とがスポット的に融着されている。各部分空間４には、固化温度が１８℃である蓄熱材１１が充填されている。
【００３２】
凸面部７は、横方向に伸びる比較的小規模な凹部７ａ及び凸部７ｂが繰り返し形成された凹凸状に構成されている。即ち、凹部７ａは内部空間３の側に窪んだ形状であり、凸部７ｂは内部空間３とは反対側に膨らんだ形状をなしている。そして、第１壁部１に形成した凹部７ａと第２壁部２に形成した凸部７ｂとが、及び、第１壁部１に形成された凸部７ｂと第２壁部２に形成された凹部７ａとが、第１壁部１或いは第２壁部２の法線方向において一致するように形成してある。つまり、第１壁部１に凸部７ｂが形成してある位置に対しては、その裏側に位置する第２壁部２には凹部７ａが形成されている構造である。
【００３３】
中間シール部５，５とその上下の第１及び第２壁部１，２とによって形成される凹入溝１２に、凹入溝１２としての断面積を縮小させる規制部材１３を配置してある。図５に示すように、蓄熱槽１４内では、第１及び第２壁部１，２が接近する状態で隣合う蓄熱カプセルＣ、Ｃが配列されており、これら蓄熱カプセルＣ、Ｃ間の空間部を熱交換のための風が流れることになる。
【００３４】
この場合、凹入溝１２を開放したままでは、隣合う凹入溝１２，１２が重なって比較的大きな空間部となって風が集中して流れ込み、風を多く流すべき隣合う第１及び第２壁部１，２の間の狭い空間部にはあまり流れなくなることになる。そこで、それを防止するべくスポンジパッド等の比重の軽い材料で成る規制部材１３を凹入溝１２に入れ込んで接着してあり、側面視でほぼ凹入溝１２が規制部材１３で埋まるような状態としてある。規制部材１３としては、ウレタン、ＰＰ、ＰＥ、アルミ合金、ゴム等、種々の材料によるものが可能である。
【００３５】
図６に示すように、上及び下の部分カプセル８，８における一対の丸孔９，９に通したインシュバンド１５によって、６個の蓄熱カプセルＣが一体化されており、この一体化された６個一組の蓄熱カプセルＣ群の多数を蓄熱槽１４内に配列してある。互いに隣合う蓄熱カプセルＣ，Ｃ間に介装された規制部材１３がスペーサーとして機能し、隣合う第１壁部１と第２壁部２との間には送風スペースが確保されている。尚、中間の部分カプセル８においても、丸孔９，９を用いてインシュバンド１５を通しても良い。
【００３６】
図３に示すように、蓄熱槽１４内においては、壁部１，２の面に沿う方向（前後方向であり、図３における矢印ロ方向）で隣合う蓄熱カプセルＣ，Ｃどうしは、それらの外周シール部５，５どうしが、壁部１，２の面に直交する方向（左右方向であり、図３における矢印イ方向）視で重なり合う状態に相対配置されている。このように、前後方向で隣合う蓄熱カプセルＣ，Ｃどうしにおける外周シール部５の重なり部分を正重なり部分ｓｋと呼ぶものとする。
【００３７】
しかして、左右方向で並ぶ蓄熱カプセルＣの外周シール部５，５間に、前後方向で並ぶ蓄熱カプセルＣの外周シール部５が入り込む状態であり、前後方向で隣合う蓄熱カプセルＣ，Ｃはカプセル厚みの半分の幅分左右方向に位置ずれした状態（千鳥格子状態）で配列されている。これにより、多数の蓄熱カプセルＣを規則正しく配列した図１０に示す従来の蓄熱槽１４の平面視面積に比べて、本発明の方法によって多数の蓄熱カプセルＣが配列された図３に示す蓄熱槽１４の平面視面積を小型化することが可能である。
【００３８】
つまり、左右方向幅は、蓄熱カプセルＣの厚みｗの半分ｗ／２だけ増えるが、前後方向幅は、蓄熱カプセルＣの並び数−１に、外周シール部５の幅寸法ｄを乗じた長さ分短くなるから、通常の蓄熱槽１４の場合、平面視による面積は減少することになり、その結果、蓄熱槽１４としての容積がコンパクト化されるのである。
【００３９】
次に、蓄熱槽１４について説明する。
図２、図８〜図１１に示すように、蓄熱槽１４は、矩形の底板部材３０と、矩形で４枚の側壁部材３１〜３３と、矩形の上蓋部材３４とで成る直方体のもの、即ち、保形性を有した箱体に構成されており、その内部に、多数の蓄熱カプセルＣを収容自在な防水容器２９を装備してある。エアコン１６からの冷風、温風等の送風は、前側壁部材３１に形成された入口開口３１Ａから蓄熱槽１４の内部に入り、反対側に位置する後側壁部材３２に形成された出口開口３２Ａを通って出口側ダクト２０に出て行く。尚、「保形性がある」とは、自身に形状を維持する作用があるの意である。
【００４０】
防水容器２９は、ＰＶＣ、ＰＰ、ＰＥ等の合成樹脂製の透明フィルム材から成る平面視矩形形状を呈する無蓋箱状のものであり、その後側の側壁部２９ｂの下端部に、結露水を排水させるための排水ホース３６付きドレンコック３５を装備してある。この袋状の防水容器２９は、底板部材３０に載置して用いられるものであり、その載置状態では、後側壁部材３２の下端部に形成された配置孔３２ａにドレンコック３５が通され、蓄熱槽１４の外部において排水ホース３６の先端部が床下地面上に配置されることになる。
【００４１】
図１０に示すように、ドレンコック３５は、回転操作式のコック３５ａとされている。従って、通常はコック３５ａを閉じ操作しておき、結露水を抜くときにだけ開通操作するようになる。
【００４２】
防水容器２９の前側の側壁部２９ａと後側の側壁部２９ｂとには、入口開口３回動操作により、排水自在な開通状態と、排水不能な閉じ状態との切換えが自在に構成１Ａに対応した送風入口２９Ａと、出口開口３２Ａに対応した送風出口２９Ｂが形成されている。又、蓄熱槽１４に収容された状態では、前後左右の側壁部２９ａ〜２９ｄ夫々の上端部を内方に折曲げてテープを貼る（図１３参照）等により、蓄熱カプセルＣが装備される内部空間を気密状とする上蓋部が形成されるようになっている。つまり、組立状態にある防水容器２９は、送風入口３１Ａと送風出口３２Ａとを除いては気密状に保たれるように構成されている。
【００４３】
底板部材３０、４枚の側壁部材３１〜３３、及び上蓋部材３４は、いずれもウレタンパネルで構成されており、底用アングル材３７と側壁用アングル材３８とを接着によって一体化して成る枠体３９を介して、底板部材３０と４枚の側壁部材３１〜３３とが一体的に組立てられるとともに、隣合う側壁部材どうしは、縦向きの接続用アングル材４０を介して連結されている。上蓋部材３４と各側壁部材３１〜３３とは直接的に組立てられる。又、無蓋箱状で合成樹脂製の受けカバー４１を設けてあり、蓄熱槽１４を遮水自在に下方から覆ってある。
【００４４】
以上の構造による蓄熱槽１４の組立手順を説明すると、先ず床下における地面上に受けカバー４１を敷設し、次いで枠体３９を入れて底板部材３０を組付ける［図１２（イ）参照］。それから防水容器２９を底板部材３０に載置し、上端縁が上下に波打つ形状の立設治具４２を防水容器２９内に投入する［図１２（ロ）参照］。そして、６個の束になっている蓄熱カプセルＣを立設治具４２に載置させた状態で防水容器２９内にて前後左右に配列し［図１２（ハ）参照］、配列し終わったら４箇所の側壁部２９ａ〜２９ｄ夫々の上端部を内方に折曲げて気密処理する［図１３（ニ）参照］。
【００４５】
次に、４個の側壁部材３１〜３３を各側壁用アングル材３８組付けて、無蓋箱状の蓄熱槽１４を形成し［図１３（ニ）参照］、それから上蓋部材３４を被せて固定すれば蓄熱槽１４の出来上がりである［図１３（ホ）参照］。このとき、入口開口３１Ａと送風入口２９Ａ、及び出口開口３２Ａと送風出口２９Ｂとが隙間無く連設されるように、前後の側壁部２９ａ，２９ｂと前後の側壁部材３１，３２とを密着させるようにして、送風が余計な所に逃げず送風効率が向上するようにしてある。
【００４６】
〔別実施形態〕
《１》  蓄熱槽１４を、図１４に示す構造としても良い。即ち、カラー鋼板をプレス形成した無蓋箱状の底板部材（ドレンパン）５０と、周縁にステンレス鋼板製のフランジ５１ａ〜５３ａが装備された硬質ウレタンボードによる４個の側壁部材５１〜５３と、周縁にステンレス鋼板製のフランジ５４ａが装備された天面蓋５４とから蓄熱槽１４を構成する。底板部材５０には、前述の実施形態における枠体３９に相当する構造が形成されており、それによって４枚の側壁部材５１〜５３を気密状に組立ててある。
【００４７】
底板部材５０には、その前方側（エアコン側）の角隅部に、ドレン孔５０ａが形成されるとともに、一方の側壁部材５３の後方側端上部に、送風出口用の出口開口５３Ａが形成されている。つまり、送風を左右中央の入口開口５１Ａから蓄熱槽１４内に取込み、後部側方の出口開口５３Ａから槽外に取出すようになっている。尚、出口開口５３Ａを補強するべく、そこに内嵌されるアングル材製の出口ダクト５５を設けても良い。
【００４８】
図１３や図１４に示す各ボード（横側壁部材３３や天面蓋５４）の材質は、ウレタンの他、発泡スチロール、発泡ウレタン等の各種断熱ボート、表面に金属（カラー鋼板、ステンレス板）や金属箔テープ（グラスファイバー強化、その他）を設けたサンドイッチパネルでも良い。
【００４９】
《２》  図示しないが、押入や収納壁等の屋内スペースに配置するタイプの蓄熱空調装置に本発明を適用しても良い。即ち、蓄熱カプセルＣを２列で上下３段（２４０個）に積層された蓄熱カプセル群の直上に空調装置（室内機）を蓄熱槽内に配置したものを、押入内における床上に設置してあり、空調装置の上面から１階の天井裏スペースに延びる出力ダクトと、１階の室内壁の下部に配置されたリターンガラリを備えた戻りダクトとを有して蓄熱空調装置を構成する。
【００５０】
蓄熱槽には、前述した防水容器２９（ＰＶＣ、ＰＰ、ＰＥ等の合成樹脂製の透明フィルム材から成る平面視矩形形状を呈する無蓋箱状のもの）と同構造の防水容器を用いて密閉状の内張としてある。この防水容器には、空調装置へのエア通路と戻りダクトとに関する開口が形成される以外は、テーピングやファスナー等の手段で密閉されており、内部に蓄熱カプセルＣに対するエアの供給路及び排出路となる空間部が確保されるように構成してある。この場合の防水容器は、その開口部が横側面になる構造や、上面になる構造のどちらでも可能である。天井裏スペースには、出力ダクトに続く分岐ボックスが配置され、この分岐ボックスに、各部屋に向かう複数の個別ダクトが接続されている。個部ダクトの先端には、１階の部屋天井への開口部が接続してある。
【００５１】
《３》  前述した押入収容型の蓄熱空調装置を、押入における床下に配置した構造のものとしても良い。この場合には、リターンガラリと蓄熱槽とを繋ぐ戻りダクトが床下に配置されるとともに、出力ダクトの上下長さが若干長くなる以外は、別実施形態《２》のものと同じである。又、蓄熱カプセルＣを２列で上下２段（１６０個）に積層して蓄熱槽に収容したものでも良い。
【００５２】
【発明の効果】
以上、説明したように、設置場所での作業よって組立られるように工夫された本発明による蓄熱槽及びその組立方法によれば以下のような効果を奏する。
【００５３】
請求項１に記載の蓄熱槽では、床下等の設置対象場所での作業によって組立てることができるので、狭い場所でも限度まで上下高を高くすることが可能になり、平面視での大きさを変えないでも容積を増やして蓄熱量の増大化を図ることができた。
【００５４】
請求項２に記載の蓄熱槽では、防水容器にドレンコックを設けて、結露水による熱効率の低下が生じないようにしながら、請求項１の構成による前記効果を奏することができた。
【００５５】
請求項３に記載の蓄熱槽では、防水容器と側壁部材とに位置対応させて送風の通り道を設けることにより、コストアップを抑制しながら送風経路を短くして熱効率向上に寄与できるようにしながら、請求項１又は２の構成によるいずれかの前記効果を奏することができた。
【００５６】
請求項４に記載の蓄熱槽では、防水容器を送風の通り道以外は気密状態とすることにより、請求項３の構成による前記効果を奏しながら、所定の熱効率が得られるようにできた。
【００５７】
請求項５に記載の蓄熱槽では、底板部材を下方から覆う受けカバーを設けるだけの簡単な改造により、湿気の多い床下や、水回り場所等、設置場所を選ばない点で汎用性に富むようにしながら、請求項１〜４の構成によるいずれかの前記効果を奏することができた。
【００５８】
請求項６に記載の蓄熱槽の組立方法では、床下等の設置対象場所での作業よって蓄熱槽を組立てることができるので、狭い場所でも限度まで上下高を高くすることが可能になり、平面視での大きさを変えないでも容積を増やして蓄熱量の増大化を図ることができた
【図面の簡単な説明】
【図１】蓄熱空調システムの概略構造を示す斜視図
【図２】蓄熱槽部分を示す一部切欠きの平面図
【図３】蓄熱カプセルの配列構造を示す要部の平面図
【図４】（イ）は蓄熱カプセルの正面図、（ロ）は蓄熱カプセルの側面図
【図５】規制部材を示す蓄熱カプセルの部分拡大断面図
【図６】６枚の蓄熱カプセルによる束状態を示す斜視図
【図７】蓄熱空調システムの各種運転モードを示す作用図
【図８】蓄熱槽の構造を示す分解斜視図
【図９】蓄熱槽と防水容器との関係構造を示す断面図
【図１０】ドレンコックを示す斜視図
【図１１】蓄熱槽での蓄熱カプセルの収まり具合を示す一部切欠き側面図
【図１２】（イ）〜（ハ）共に蓄熱槽の組立手順を示す作用図
【図１３】（ニ）、（ホ）共に蓄熱槽の組立手順を示す作用図
【図１４】別構造による蓄熱槽の構造を示す分解斜視図
【符号の説明】
１              第１壁部
２              第２壁部
３              内部空間
５              外周シール部
７              凸面部
２６            凹入溝
Ｃ              蓄熱カプセル
ｊｋ            準重なり部分
【図１】
0003858108.tif 000002
【図２】
0003858108.tif 000003
【図３】
0003858108.tif 000004
【図４】
0003858108.tif 000005
【図５】
0003858108.tif 000006
【図６】
0003858108.tif 000007
【図７】
0003858108.tif 000008
【図８】
0003858108.tif 000009
【図９】
0003858108.tif 000010
【図１０】
0003858108.tif 000011
【図１１】
0003858108.tif 000012
【図１２】
0003858108.tif 000013
【図１３】
0003858108.tif 000014
【図１４】
0003858108.tif 000015